(57)【要約】【課題】防水性能が向上され、室内／室外にかかわらず設置することができる収納箱及び該収納箱に用いられる蓋手段を提供する。【解決手段】所定の収納空間２１を囲み、上端開口２２１及び前側開口２２２が開けられている箱ユニット２と、箱ユニット２の上端開口２２１を覆う上端蓋ユニット３と、箱ユニット２の前側開口２２２を覆い、且つ上端蓋ユニット３に枢支されている前側蓋ユニット４と、を具えている上、上端蓋ユニット３は、前側蓋ユニット４が上端蓋ユニット３に枢支される枢支軸４２を覆うことができるように上端蓋本体３の前側開口側２２２に臨む端縁から突出しているブリム部３２を更に有するように形成されていることを特徴とする収納箱及び該収納箱に用いられる蓋手段を提供する。【選択図】図２
0003204078.tif 000002
【実用新案登録請求の範囲】
【請求項１】
所定の収納空間を囲みながら、該収納空間の上端部において前記収納空間と連通している上端開口と、前記収納空間の前端部において前記収納空間と連通し且つ前記上端開口と隣接する前側開口とが開けられている箱ユニットと、
前記箱ユニットの前記上端開口を覆うように前記箱ユニットに取り外し可能に取付けられている上端蓋本体と、前記上端蓋本体の前記前側開口側に臨む端縁の両端からそれぞれ突出する２つの枢支部とを有するように形成された上端蓋ユニットと、
前記箱ユニットの前記前側開口を覆うように前記箱ユニットに取り外し可能に取付けられている前側蓋本体と、前記前側蓋本体の前記上端開口側に臨む端縁に配置されて前記上端蓋ユニットが有する前記２つの枢支部に枢支されている枢支軸とを有し、前記前側蓋本体が前記枢支軸を回転軸とする回動により、前記箱ユニットの前記前側開口を覆う閉位置と、前記箱ユニットの前記前側開口を覆わない開位置との間で切り替えることができるように配置構成された前側蓋ユニットと、を具えている上、
前記上端蓋ユニットは、前記前側蓋ユニットが有する前記枢支軸を覆うことができるように前記上端蓋本体の前記前側開口側に臨む端縁から、前記２つの枢支部の間に突出しているブリム部を更に有するように形成されていることを特徴とする収納箱。
【請求項２】
前記上端蓋ユニットに形成された前記ブリム部は、前記上端蓋本体の前記前側開口側に臨む端縁から前側へ突出してから下側へカーブするように形成されていることを特徴とする請求項１に記載の収納箱。
【請求項３】
前記上端蓋ユニットに形成された前記２つの枢支部は、それぞれ前記ブリム部を挟むように互いに略平行し、且つ前記前側蓋ユニットが有する前記枢支軸を受入れて枢支することができる枢支孔が開けられている枢支板と、前記枢支板において前記枢支孔より下側の箇所から、前記ブリム部から離間する方向へ突出する支持突起とを有するように形成されており、
前記前側蓋ユニットには、前記２つの枢支部がそれぞれ有する前記支持突起に対応し、前記前側蓋ユニットが前記開位置に切り替えられると、対応の前記支持突起の前端面により支持され、前記前側蓋ユニットが前記閉位置に切り替えられると、対応の前記支持突起の前記前端面の反対側にある後端側に位置するように配置構成されている係合ブロックが形成されており、
前記支持突起と前記係合ブロックとの対応により、前記前側蓋ユニットを前記開位置に一時的に固定することができることを特徴とする請求項１または請求項２に記載の収納箱。
【請求項４】
前記上端蓋ユニットに形成された前記２つの枢支部と前記ブリム部との間には、受入れ溝が形成されており、
前記上端蓋ユニットに形成された前記２つの枢支部には、前記枢支板において前記支持突起の突出する箇所が前後方向に弾性変形して揺動できるように、該箇所の後側の端縁から切り込まれる揺動溝と、前記係合ブロックを保持することができるように前記支持突起の前記前端面に形成されている保持溝と、が更に形成されており、
前記前側蓋ユニットには、前記上端蓋ユニットに形成された前記２つの枢支部がそれぞれ有する前記枢支板と略平行するように対応し且つ対応の前記枢支板の前記ブリム部との間にある前記受入れ溝に挿し込まれることができる２つの揺動板が更に形成されており、
前記枢支軸の両端は前記２つの揺動板からそれぞれ突出して対応の前記枢支孔に挿し込まれており、
また、前記係合ブロックは、前記２つの揺動板において前記枢支軸より下側の箇所に形成されていることを特徴とする請求項３に記載の収納箱。
【請求項５】
前記ブリム部の下面には、複数の第１の係合突起が形成されており、
前記枢支軸の表面には、各前記第１の係合突起に対応し、前記前側蓋ユニットが前記前側開口を覆わない開位置に切り替えられると、対応の前記第１の係合突起と係合して前記前側蓋ユニットを前記開位置に一時的に固定することができる複数の第２の係合突起が形成されていることを特徴とする請求項１〜請求項４のいずれか一項に記載の収納箱。
【請求項６】
前記箱ユニットは、前記所定の収納空間を囲む箱本体と、前記上端開口の周縁に、前記箱本体から外側へ張り出すように形成された第１の周縁部と、前記前側開口の周縁に、前記箱本体から外側へ張り出すように形成された第２の周縁部と、を具えていることを特徴とする請求項１〜請求項５のいずれか一項に記載の収納箱。
【請求項７】
前記上端蓋ユニットは、前記箱ユニットの前記上端開口内に挿し込まれる第１の挿入部と、前記上端蓋本体の周縁部から外側へ張り出してから下側に曲がり、前記箱ユニットの前記第１の周縁部の上端面及び側面を覆うことができる第１のカバー部とを更に有するように形成されており、
前記前側蓋ユニットは、前記箱ユニットの前記前側開口内に挿し込まれる第２の挿入部と、前記前側蓋本体の周縁部から外側へ張り出してから下側に曲がり、前記箱ユニットの前記第２の周縁部の上端面及び側面を覆うことができる第２のカバー部とを更に有するように形成されていることを特徴とする請求項６に記載の収納箱。
【請求項８】
前記前側蓋ユニットには、前記枢支軸と略平行するように延伸する板状の補強板と、前記枢支軸と略直交するように延伸して前記補強板と交差する複数の強化リブとが、前記前側蓋本体から突出するように形成されていることを特徴とする請求項１〜請求項７のいずれか一項に記載の収納箱。
【請求項９】
所定の収納空間を囲みながら、該収納空間の上端部において前記収納空間と連通している上端開口と、前記収納空間の前端部において前記収納空間と連通し且つ前記上端開口と隣接する前側開口とが開けられている箱ユニットに取付けられることができる蓋手段であって、
前記箱ユニットの前記上端開口を覆うように前記箱ユニットに取り外し可能に取付けられることが可能な上端蓋本体と、前記上端蓋本体の前記前側開口側に臨む端縁の両端からそれぞれ突出する２つの枢支部とを有するように形成された上端蓋ユニットと、
前記箱ユニットの前記前側開口を覆うように前記箱ユニットに取り外し可能に取付けられることが可能な前側蓋本体と、前記前側蓋本体の前記上端開口側に臨む端縁に配置されて前記上端蓋ユニットが有する前記２つの枢支部に枢支されている枢支軸とを有し、前記上端蓋ユニットと共に前記箱ユニットに取付けられる際、前記前側蓋本体が前記枢支軸を回転軸とする回動により、前記箱ユニットの前記前側開口を覆う閉位置と、前記箱ユニットの前記前側開口を覆わない開位置との間で切り替えることができるように配置構成された前側蓋ユニットと、を具えている上、
前記上端蓋ユニットは、前記前側蓋ユニットが有する前記枢支軸を覆うことができるように前記上端蓋本体の前記前側開口側に臨む端縁から、前記２つの枢支部の間に突出しているブリム部を更に有するように形成されていることを特徴とする蓋手段。
【考案の詳細な説明】
【技術分野】
【０００１】
本考案は、収納箱及び該収納箱に用いられる蓋手段に関し、特に防水性能が向上された収納箱及び該収納箱に用いられる蓋手段に関する。
【背景技術】
【０００２】
従来の収納箱は、例えば図１に示される構成を有するものがある。該従来の収納箱１は、所定の収納空間を囲みながら、該収納空間の上端部から前端部まで延伸する開口が形成されている箱ユニット１１と、箱ユニット１１の開口の上端部部分を覆うように箱ユニット１１に取付けられている上端蓋ユニット１２と、箱ユニット１１の開口の前端部部分を覆うように箱ユニット１１に取付けられている前側蓋ユニット１３と、を有するように構成されていると共に、前側蓋ユニット１３は上端蓋ユニット１２に対して回動できるように上端蓋ユニット１２に枢支されている。
【０００３】
特に、このような従来の収納箱１では、前側蓋ユニット１３に形成された複数の枢支軸１３１を上端蓋ユニット１２に形成された対応の枢支スロット１２１にそれぞれ嵌め込むことによって前側蓋ユニット１３を上端蓋ユニット１２に枢結する構成になっているので、この枢結箇所の防水効果が悪く、例えば雨水などが枢結箇所にある隙間を通って収納空間内に進入しやすいので、このような従来の収納箱は室外に設置することに向いていない欠点がある。
【考案の概要】
【考案が解決しようとする課題】
【０００４】
上記問題点に鑑みて、本考案は防水性能が向上され、室内／室外にかかわらず設置することができる収納箱及び該収納箱に用いられる蓋手段の提供を目的とする。
【課題を解決するための手段】
【０００５】
上記目的を達成する手段として、本考案は、所定の収納空間を囲みながら、該収納空間の上端部において前記収納空間と連通している上端開口と、前記収納空間の前端部において前記収納空間と連通し且つ前記上端開口と隣接する前側開口とが開けられている箱ユニットと、前記箱ユニットの前記上端開口を覆うように前記箱ユニットに取り外し可能に取付けられている上端蓋本体と、前記上端蓋本体の前記前側開口側に臨む端縁の両端からそれぞれ突出する２つの枢支部とを有するように形成された上端蓋ユニットと、前記箱ユニットの前記前側開口を覆うように前記箱ユニットに取り外し可能に取付けられている前側蓋本体と、前記前側蓋本体の前記上端開口側に臨む端縁に配置されて前記上端蓋ユニットが有する前記２つの枢支部に枢支されている枢支軸とを有し、前記前側蓋本体が前記枢支軸を回転軸とする回動により、前記箱ユニットの前記前側開口を覆う閉位置と、前記箱ユニットの前記前側開口を覆わない開位置との間で切り替えることができるように配置構成された前側蓋ユニットと、を具えている上、前記上端蓋ユニットは、前記前側蓋ユニットが有する前記枢支軸を上から覆うことができるように前記上端蓋本体の前記前側開口側に臨む端縁から、前記２つの枢支部の間に突出しているブリム部を更に有するように形成されていることを特徴とする収納箱を提供する。
【０００６】
また、本考案は所定の収納空間を囲みながら、該収納空間の上端部において前記収納空間と連通している上端開口と、前記収納空間の前端部において前記収納空間と連通し且つ前記上端開口と隣接する前側開口とが開けられている箱ユニットに取付けられることができる蓋手段であって、前記箱ユニットの前記上端開口を覆うように前記箱ユニットに取り外し可能に取付けられることが可能な上端蓋本体と、前記上端蓋本体の前記前側開口側に臨む端縁の両端からそれぞれ突出する２つの枢支部とを有するように形成された上端蓋ユニットと、前記箱ユニットの前記前側開口を覆うように前記箱ユニットに取り外し可能に取付けられることが可能な前側蓋本体と、前記前側蓋本体の前記上端開口側に臨む端縁に配置されて前記上端蓋ユニットが有する前記２つの枢支部に枢支されている枢支軸とを有し、前記上端蓋ユニットと共に箱ユニットに取付けられる際、前記前側蓋本体が前記枢支軸を回転軸とする回動により、前記箱ユニットの前記前側開口を覆う閉位置と、前記箱ユニットの前記前側開口を覆わない開位置との間で切り替えることができるように配置構成された前側蓋ユニットと、を具えている上、前記上端蓋ユニットは、前記前側蓋ユニットが有する前記枢支軸を覆うことができるように前記上端蓋本体の前記前側開口側に臨む端縁から、前記２つの枢支部の間に突出しているブリム部を更に有するように形成されていることを特徴とする蓋手段をも提供する。
【考案の効果】
【０００７】
上記構成によれば、本考案の収納箱は、上端蓋ユニットには、前側蓋ユニットが有する枢支軸を上から覆うことができるように上端蓋本体の前側開口側に臨む端縁から、２つの枢支部の間に突出しているブリム部が更に形成されているので、たとえ室外に設置されていても、雨水が上端蓋ユニットと前側蓋ユニットとの枢結箇所にある隙間を通って収納空間内に進入することをブリム部で防止することができる収納箱及び該収納箱に用いられる蓋手段を提供することができる。
【図面の簡単な説明】
【０００８】
【図１】従来の収納箱の一例の構成が示されている分解斜視図である。
【図２】本考案の収納箱の構成例が示されている分解斜視図である。
【図３】本考案の収納箱の同構成例で前側蓋ユニットが閉位置にある状態が示されている斜視図である。
【図４】本考案の収納箱の同構成例で前側蓋ユニットが開位置にある状態が示されている斜視図である。
【図５】本考案の収納箱の同構成例が有する上端蓋ユニットと前側蓋ユニットとの構成が示されている一部分解斜視図である。
【図６】本考案の収納箱の同構成例が有する上端蓋ユニットと前側蓋ユニットとの枢結箇所の構成が示されている一部拡大分解斜視図である。
【図７】本考案の収納箱の同構成例において前側蓋ユニットの上端蓋ユニットに対する揺動状態及び構成が示されている一部拡大断面図である。
【図８】本考案の収納箱の同構成例において前側蓋ユニットの上端蓋ユニットに対する揺動状態及び構成が示されている一部拡大断面図である。
【図９】本考案の収納箱の同構成例において前側蓋ユニットの上端蓋ユニットに対する揺動状態及び構成が示されている一部拡大断面図である。
【考案を実施するための形態】
【０００９】
以下は各図面を参照して本考案の収納箱の好ましい実施形態について詳しく説明する。
【００１０】
図２〜図９に本考案の収納箱の好ましい実施形態が示されている。
【００１１】
図２は本考案の収納箱の構成例が示されている分解斜視図であり、図３はその前側蓋ユニットが閉位置にある状態が示されている斜視図であり、図４は前側蓋ユニットが開位置にある状態が示されている斜視図である。図示のように、本考案の収納箱は、箱ユニット２と、上端蓋ユニット３と、前側蓋ユニット４と、を具えている。
【００１２】
箱ユニット２は、所定の収納空間２１を囲みながら、収納空間２１の上端部において収納空間２１と連通している上端開口２２１と、収納空間２１の前端部において収納空間２１と連通し且つ上端開口２２１と隣接する前側開口２２２とが開けられている箱本体２０と、上端開口２２１の周縁に、箱本体２０から外側へ張り出すように形成された第１の周縁部２３１と、前側開口２２２の周縁に、箱本体２０から外側へ張り出すように形成された第２の周縁部２３２と、を具えている。
【００１３】
上端蓋ユニット３は、箱ユニット２の上端開口２２１を覆うように箱ユニット２に取り外し可能に取付けられている上端蓋本体３０と、上端蓋本体３０の前側開口２２２側に臨む端縁の両端からそれぞれ突出する２つの枢支部３４と、を有するように形成されている。
【００１４】
前側蓋ユニット４は、箱ユニット２の前側開口２２２を覆うように箱ユニット２に取り外し可能に取付けられている前側蓋本体４０と、前側蓋本体４０の上端開口２２１側に臨む端縁に配置されて上端蓋ユニット３が有する２つの枢支部３４に枢支されている枢支軸４２とを有し、前側蓋本体４０が枢支軸４２を回転軸Ｒとする回動により、箱ユニット２の前側開口２２２を覆う閉位置（図３参照）と、箱ユニット２の前側開口２２２を覆わない開位置（図４参照）との間で切り替えることができるように配置構成されている。
【００１５】
更に、本考案において、上端蓋ユニット３は、前側蓋ユニット４が有する枢支軸４２を覆うことができるように上端蓋本体３０の前側開口２２２側に臨む端縁から、２つの枢支部３４の間に突出しているブリム部３２を有するように形成されている。本考案はこのように構成されたブリム部３２を更に有することにより、枢支軸４２の配置されている箇所にある隙間から水が進入することを防止することができるので、たとえ室外に設置されていても、雨水が収納空間２１に進入する恐れはなくなる。
【００１６】
また、この実施形態において、上端蓋ユニット３に形成されたブリム部３２は、上端蓋本体３０の前側開口２２２側に臨む端縁から前側へ突出してから下側へカーブするように形成されている。この構成により、ブリム部３２は上からの雨水をブリム部３２の前下側にある前側蓋本体４０の表面に案内することができるので、枢支軸４２の配置されている箇所にある隙間に水が進入する確率を更に抑えることができる。
【００１７】
更に、図２〜図４に示されているように、この実施形態において、上端蓋ユニット３は、上端蓋本体３０から少し突出して箱ユニット２の上端開口２２１内に挿し込まれる第１の挿入部３１と、上端蓋本体３０の周縁部から外側へ張り出してから下側に曲がり、箱ユニット２の第１の周縁部２３１の上端面及び側面を覆うことができる第１のカバー部３３とを更に有するように形成されている。また、前側蓋ユニット４は、前側蓋本体４０から少し突出して箱ユニット２の前側開口２２２内に挿し込まれる第２の挿入部４１と、前側蓋本体４０の周縁部から外側へ張り出してから下側に曲がり、箱ユニット２の第２の周縁部２３２の上端面及び側面を覆うことができる第２のカバー部４３とを更に有するように形成されている。このように、上端蓋ユニット３の第１のカバー部３３で第１の周縁部２３１の上端面及び側面を覆う構成と、前側蓋ユニット４の第２のカバー部４３で第２の周縁部２３２の上端面及び側面を覆う構成とにより、上端蓋ユニット３及び前側蓋ユニット４が箱ユニット２に取付けられる箇所の側面にできる隙間を塞ぐことができるので、該側面にできる隙間を通って雨水が収納空間２１に進入することを防止し、防水性能を向上することができる。
【００１８】
次いで、図５及び図６を用いて、上端蓋ユニット３と前側蓋本体４とが枢結される箇所に関して詳しく説明する。
【００１９】
図５は上端蓋ユニット３と前側蓋ユニット４との裏面側（収納空間２１に面する側）の構成が示されている一部分解斜視図であり、図６は図５において示される上端蓋ユニット３と前側蓋ユニット４との枢結箇所の構成が拡大されて示される一部拡大分解斜視図である。
【００２０】
図５及び図６に示されているように、上端蓋ユニット３に形成された２つの枢支部３４は、それぞれブリム部３２と受入れ溝３７を挟むように互いに略平行し（即ち、２つの枢支部３４とブリム部３２との間には、受入れ溝３７がそれぞれ形成されている）、且つ前側蓋ユニット４が有する枢支軸４２を受入れて枢支することができる枢支孔３４２が開けられている枢支板３４１と、枢支板３４１において枢支孔３４２より下側の箇所から、ブリム部３２から離間する方向へ突出する支持突起３５と、支持突起３５の突出する箇所が前後方向に弾性変形して揺動できるように、該箇所の後側の端縁から切り込まれる揺動溝３５０と、を有するように形成されている。
【００２１】
前側蓋ユニット４には、上端蓋ユニット３に形成された２つの枢支部３４がそれぞれ有する枢支板３４１と略平行するように対応し、且つ対応の枢支板３４１のブリム部３２との間にある受入れ溝３７に挿し込まれることができる２つの揺動板４２１が更に形成されており、枢支軸４２の両端は２つの揺動板４２１からそれぞれ突出して対応の枢支孔３４２に挿し込まれる枢支突起４２２をそれぞれ有している。また、２つの揺動板４２１において枢支軸４２の枢支突起４２２より下側の箇所には、２つの枢支部３４がそれぞれ有する支持突起３５に対応する係合ブロック４４が形成されている。
【００２２】
なお、上端蓋ユニット３に形成された２つの枢支部３４は、上端蓋ユニット３が箱ユニット２に取付けられる際、箱ユニット２が具える第１の周縁部２３１の外側に来るように配置構成されており、そして前側蓋ユニット４に形成された２つの揺動板４２１及び係合ブロック４４は、前側蓋ユニット４が箱ユニット２に取付けられる際、箱ユニット２が具える第２の周縁部２３２の外側に来るように配置構成されている。また、図５及び図６に示されているように、前側蓋ユニット４には、枢支軸４２と略平行するように延伸する板状の補強板４６と、枢支軸４２と略直交するように延伸して補強板４６と交差する複数の強化リブ４７とが、前側蓋本体４０から裏面側へ突出するように形成されている。
【００２３】
更に、上端蓋ユニット３に形成されたブリム部３２の下面には、複数の第１の係合突起３６が形成されており、そして前側蓋ユニット４に形成された枢支軸４２の表面には、各第１の係合突起３６にそれぞれ対応し、前側開口２２２を覆わない開位置に前側蓋ユニット４を切り替えると、対応の第１の係合突起３６と係合して前側開口２２２を覆わない開位置に前側蓋ユニット４を一時的に保持固定することができる複数の第２の係合突起４５（図２参照）が形成されている。
【００２４】
次に、上端蓋ユニット３に形成された支持突起３５と前側蓋ユニット４に形成された係合ブロック４４との対応関係、並びに前側蓋ユニット４が閉位置から開位置に揺動される際上端蓋ユニット３と前側蓋ユニット４とが枢結される箇所の状況について、図７〜図９を用いて詳しく説明する。
【００２５】
図７〜図９は前側蓋ユニット４の上端蓋ユニット３に対する揺動状態が拡大されて示される一部拡大断面図であり、図７は図３に示される状態に対応し、図９は図４に示される状態に対応し、図８は図７から図９に切り替えられる途中の状態を示している。
【００２６】
図７に示されているように、前側蓋ユニット４に形成された係合ブロック４４は、前側蓋ユニット４が前側開口２２２を覆う閉位置にある場合、対応の支持突起３５の前端面の反対側にある後端側（即ち図７における右側）に位置するように配置構成されている。
【００２７】
また、上端蓋ユニット３に形成された支持突起３５は、下側（即ち収納空間４１のある側）に面し、前側蓋ユニット４の上端蓋ユニット３に対する揺動により係合ブロック４４に当接して該揺動を一時的に阻止することができる当接面３５１と、該支持突起３５の前端面にあって少し凹陥するように形成された保持溝３５３と、当接面３５１と保持溝３５３との間にあって該当接面３５１と保持溝３５３とを繋ぐスムーズな曲面を有する案内面３５２とを有するように形成されている。ちなみに、揺動溝３５０は支持突起３５の後端側（即ち図７における右側）に形成されているので支持突起３５は外力により前後方向（即ち図７における左右方向）に弾性変形して揺動することができ、且つ該外力が消えると元の通常位置に戻ることができる。
【００２８】
図７に示されている状態から前側蓋ユニット４が前側開口２２２から離れると共に上端蓋ユニット３に対して揺動し、前側蓋ユニット４に形成された係合ブロック４４が上端蓋ユニット３に形成された支持突起３５の当接面３５１に当接すると、図８に示される状態になる。
【００２９】
図８に示される状態では、前側蓋ユニット４に形成された係合ブロック４４が上端蓋ユニット３に形成された支持突起３５の当接面３５１に当接するため、前側蓋ユニット４の上端蓋ユニット３に対する揺動は一時的に阻止されるようになる。この状態は例えば前側蓋ユニット４を一旦開いてすぐ閉じる場合に便利である。
【００３０】
図８に示されている状態から、前側開口２２２から離れさせる外力が前側蓋ユニット４に加わると、該外力が係合ブロック４４を経由して支持突起３５に伝わって、支持突起３５に形成された曲面である案内面３５２の案内によって支持突起３５が揺動溝３５０側に動かされ、即ち支持突起３５が後方に揺動されるようになり、係合ブロック４４が支持突起３５の前側（即ち図８における左側）に回って、支持突起３５の前端面に形成された保持溝３５３に嵌まり込むと図９に示される状態となる。
【００３１】
図９に示される状態では、前側蓋ユニット４に形成された係合ブロック４４が、上端蓋ユニット３に形成された支持突起３５の保持溝３５３に嵌まり込むため、前側開口２２２から大きく離れた前側蓋ユニット４はその位置に安定して保持されるようになり、この状態の前側蓋ユニット４の位置が本考案において定義される開位置である。ちなみに、図示されていないが、この状態では前側蓋ユニット４の枢支軸４２の表面に形成された複数の第２の係合突起４５はそれぞれ上端蓋ユニット３に形成されてブリム部３２の下面にある対応の複数の第１の係合突起３６と係合している（図２参照）。
【００３２】
図９に示されている状態から、前側開口２２２に近づかせる外力が前側蓋ユニット４に加わると、該外力が係合ブロック４４を経由して支持突起３５に伝わって、支持突起３５に形成された曲面である案内面３５２の案内によって支持突起３５が揺動溝３５０側に動かされ、即ち支持突起３５が後方に揺動するようになり、係合ブロック４４は支持突起３５の後側（即ち図９における右側）に回って、支持突起３５の案内面３５２及び当接面３５１を通過し、前側蓋ユニット４の前側蓋本体４０が前側開口２２２に到達すると、図７に示されている状態に戻るようになる。
【産業上の利用可能性】
【００３３】
上記構成によれば、本考案の収納箱は、上端蓋ユニットには、前側蓋ユニットが有する枢支軸を上から覆うことができるように上端蓋本体の前側蓋ユニット側に臨む端縁から突出しているブリム部が更に形成されているので、たとえ室外に設置されていても、雨水が上端蓋ユニットと前側蓋ユニットとの枢結箇所にある隙間を通って収納空間内に進入することをブリム部で防止することができ、防水性能が向上された収納箱を提供することができる。
【００３４】
また、本考案は上記収納箱を商品化することができるだけでなく、該収納箱に用いられる蓋手段、即ち上端蓋ユニット３と前側蓋ユニット４との組み合わせを１つの商品として製造、販売することも可能である。
【符号の説明】
【００３５】
２      箱ユニット
２０    箱本体
２１    収納空間
２２１  上端開口
２２２  前側開口
２３１  第１の周縁部
２３２  第２の周縁部
３      上端蓋ユニット
３０    上端蓋本体
３１    第１の挿入部
３２    ブリム部
３３    第１のカバー部
３４    枢支部
３４１  枢支板
３４２  枢支孔
３５    支持突起
３５０  揺動溝
３５１  当接面
３５２  案内面
３５３  保持溝
３６    第１の係合突起
３７    受入れ溝
４      前側蓋ユニット
４０    前側蓋本体
４１    第２の挿入部
４２    枢支軸
４２１  揺動板
４２２  枢支突起
４３    第２のカバー部
４４    係合ブロック
４５    第２の係合突起
４６    補強板
４７    強化リブ
【図１】
0003204078.tif 000003
【図２】
0003204078.tif 000004
【図３】
0003204078.tif 000005
【図４】
0003204078.tif 000006
【図５】
0003204078.tif 000007
【図６】
0003204078.tif 000008
【図７】
0003204078.tif 000009
【図８】
0003204078.tif 000010
【図９】
0003204078.tif 000011